(57)【要約】【課題】  長時間の遊技でも、メダル投入がスムースに行われ、遊技が快適なメダル遊技機を提供する。【解決手段】  メダル遊技機の一例であるスロットマシン１は、操作パネル部１４の上面１４ｂにメダル投入部２０を有する。メダル投入部２０は、左右方向に回動自在に設けられた基部２１から上方へ延びる背面板２３の前側に設けられた開口部２５と、背面板２３に対して略直交して開口部２５の手前側に延びて複数の遊技メダルを平行に並べて収納可能なメダル収容部２７とを有する。メダル投入部２０は、位置決め機構４０によって操作パネル部１４に対して所望角度で位置決めされる。位置決め機構４０は、基部２１の底面に対向する操作パネル部１４の上面１４ｂに所定間隔を有して配設された複数の係合突起部４１と、基部２１の底面２１ａに設けられて隣接する一対の係合突起部４１と係合してメダル投入部２０を位置決めする係止突起部４３とを有してなる。【選択図】  図３
2006263260.tif 000002
【特許請求の範囲】
【請求項１】
基部から上方へ延びる背面板の前側に遊技メダルを投入可能に開口した開口部と、前記背面板から前記開口部の手前側に延びて複数の遊技メダルを平行に積層状に並べて収納可能なメダル収容部とを有するメダル投入部を備えたメダル遊技機において、
前記メダル投入部を、フロントドアのパネル部に、上下方向に延びる回動中心軸線に対して左右方向に回動自在に設けたことを特徴とするメダル遊技機。
【請求項２】
前記メダル投入部を、前記パネル部に対して所望の角度で位置決めする位置決め手段を有することを特徴とする請求項１に記載のメダル遊技機。
【請求項３】
前記位置決め手段は、前記基部の底面及び該底面に対向するパネル部の上面のいずれか一方側に所定間隔を有して配設された複数の係合突起部と、前記底面及び前記上面のいずれか他方側に設けられて隣接する一対の係合突起部と係合して前記メダル投入部を位置決めする係止突起部とを有してなることを特徴とする請求項２に記載のメダル遊技機。
【発明の詳細な説明】
【技術分野】
【０００１】
本発明は、メダル遊技機に関し、さらに詳細には、遊技メダルを投入するメダル投入部を備えたメダル遊技機に関する。
【背景技術】
【０００２】
このようなメダル遊技機は、１枚又は複数枚の遊技メダル（以下、単に「メダル」と記す。）をメダル投入部から投入して遊技を行うものである。メダル投入部は、遊技者が手に持ったメダルを投入する部分であり、遊技者がメダルをスムースに投入することができるように構成されている（特許文献１参照）。
【０００３】
この特許文献１に記載のメダル投入部は、メダル（文献ではコイン）を１枚ずつ投入する開口に対して、複数枚のメダルを平行に積層状に並べて収納できる収納凹部（文献では貯留溝）を有して構成されている。収納凹部は断面形状がメダルの外形に沿った円弧状であり、収納凹部内に収容された複数のメダルを開口側に押圧すると、これらは開口側へ移動して、メダルを開口に１枚ずつスムースに投入することができる。
【０００４】
【特許文献１】実開平１−１４７４６８号公報
【発明の開示】
【発明が解決しようとする課題】
【０００５】
このようにメダル投入部をどんなに入れ易く構成しても、メダル投入部はスロットマシンの前面部分に固定されているので、遊技者が長時間の遊技を行う場合には、遊技者はメダルを投入する側の手を常に同じ姿勢で持って行かなければならず、腕の疲労が溜まり易い。このため、腕の疲労が増大すると、メダルの投入が徐々にしずらくなり、メダルを誤って下に落としてしまう場合が生じる。その結果、遊技者は、腕の疲労やメダルロスによるストレスが増加して、遊技を快適に行うことができなくなるという問題が生じた。
【０００６】
本発明は、このような問題に鑑みてなされたものであり、長時間の遊技を行っても、腕の疲労が溜まり難く、メダルの投入がスムースに行われて、遊技を快適に行うことができるメダル遊技機を提供することを目的とする。
【課題を解決するための手段】
【０００７】
このような課題を解決するため、本発明は、基部から上方へ延びる背面板の前側に遊技メダルを投入可能に開口した開口部と、背面板から開口部の手前側に延びて複数の遊技メダルを平行に積層状に並べて収納可能なメダル収容部とを有するメダル投入部を備えたメダル遊技機（例えば、実施形態におけるスロットマシン１）において、メダル投入部を、フロントドアのパネル部に、上下方向に延びる回動中心軸線に対して左右方向に回動自在に設けたことを特徴とする。
【０００８】
この発明によれば、フロントドアのパネル部にメダル投入部を上下方向に延びる回動中心軸線に対して左右方向に回動自在に設けることにより、メダル投入部の向きを、フロントドアに面して座る遊技者の好みの角度にすることができる。このため、遊技が長時間になった場合でも、腕の疲労に応じてメダル投入部の向きを変えることで、腕の疲労を溜まり難くすることができる。その結果、メダルの投入を常にスムースに行うことができ、メダルロスも無くなり、遊技者のストレスが抑制されて、遊技を快適に行うことができる。
【０００９】
また本発明は、メダル投入部を、パネル部に対して所望の角度で位置決めする位置決め手段（例えば、実施形態における位置決め機構４０）を有することを特徴とする。
【００１０】
この発明によれば、メダル投入部をパネル部に対して所望の角度で位置決めする位置決め手段を設けることにより、遊技者の好みに合った角度にメダル投入部を位置決めすることができる。このため、腕の疲労に応じてメダル投入部をスムースなメダル投入が可能な向きにするとともに、位置決めすることができる。このため、遊技者は、メダル投入をよりスムースに行うことができ、腕の疲労やメダルロスによるストレスの増加を確実に防止して、遊技をさらに快適にすることができる。
【００１１】
また本発明は、位置決め手段は、基部の底面及び該底面に対向するパネル部の上面のいずれか一方側に所定間隔を有して配設された複数の係合突起部と、底面及び上面のいずれか他方側に設けられて隣接する一対の係合突起部と係合して前記メダル投入部を位置決めする係止突起部とを有してなることを特徴とする。
【００１２】
この発明によれば、位置決め手段は、複数の係合突起部とこれらに係合してメダル投入部を位置決めする係止突起部とを有してなることにより、簡易な構造でメダル投入部の位置決めを行うことができる。
【発明の効果】
【００１３】
本発明によれば、フロントドアのパネル部にメダル投入部を上下方向に延びる回動中心軸線に対して左右方向に回動自在に設けることにより、長時間の遊技が行われても、腕の疲労が溜まり難く、メダルの投入がスムースに行われて、遊技を快適に行うことができるメダル遊技機を提供することができる。
【発明を実施するための最良の形態】
【００１４】
以下、本発明に係わるメダル遊技機の好ましい実施の形態を図１から図３に基づいて説明する。本実施の形態は、メダル遊技機の一例としてスロットマシンを例にして説明する。
【００１５】
スロットマシン１は、図１（正面図）に示すように、遊技者に面するフロントドア１０と、フロントドア１０を開閉自在に取り付けた筐体（図示せず）とを有して構成される。フロントドア１０は、機械的に強固な硬質プラスチック製であり、上部パネル部１１、中部パネル部１３及び下部パネル部１５を備えて構成される。上部パネル部１１には、演出用の上部ランプ１１ａと演出用の効果音を発するスピーカが裏面側に取り付けられた放音部１１ｂ，１１ｃと、液晶ディスプレイ等で形成された演出表示装置１１ｄとが配設されている。
【００１６】
中部パネル部１３には、透明な硬質プラスチック板で形成された略長方形状の透過窓ＷＤと、演出用ランプ１３ａ，１３ｂが設けられ、筐体内に設けられたリール装置６０のリールＲ１，Ｒ２，Ｒ３を、遊技者が透過窓ＷＤを介して見ることが可能となっている。
【００１７】
中部パネル部１３の下端部には、遊技者が操作するための操作パネル部１４が設けられ、この操作パネル部１４には、スロットマシンゲームを行うのに必要な遊技メダル（以下、単に「メダル」と記す。）を投入するためのメダル投入部２０と、１ゲーム当たりのメダル数を提示するためのベットボタンＢ１，Ｂ２，Ｂ３と、１ゲームの開始を指示するためのスタートレバーＳＴと、回転中のリールを個別に停止させるためのストップボタンＳＰ１，ＳＰ２，ＳＰ３と、遊技者が獲得したメダルの払い出しを指示するための精算ボタンＭＲが設けられている。
【００１８】
メダル投入部２０は、図２（ａ）（斜視図）に示すように、精算ボタンＭＲより上方の操作パネル部１４の上面１４ｂに取り付けられている。メダル投入部２０は、操作パネル部１４の上面１４ｂに上下方向に延びる回動中心軸線Ｓに対して左右方向に回動自在に取り付けられた基部２１から上方へ延びる背面板２３の前側に遊技メダルを投入可能に開口して設けられた開口部２５と、背面板２３に対して略直交して開口部２５の手前側に延びて断面略Ｕ字状に形成されて複数の遊技メダルを平行に積層状に並べて収納可能に設けられたメダル収容部２７とを有してなる。
【００１９】
メダル投入部２０の基部２１は、図２（ｂ）（斜視図）及び図３（断面図）に示すように、操作パネル部１４の上面１４ｂに開口する取付孔１４ａに挿着されて回動中心軸線Ｓを回動中心として左右方向に回動自在である。このため、メダル投入部２０は、操作パネル部１４の上面１４ｂに対して左右方向に回動自在である。
【００２０】
メダル投入部２０の開口部２５は、平面視において矩形状であり、この開口部２５には背面板２３に沿って下方へ延びる挿入孔２６が繋がっている。挿入孔２６は、背面板２３の下側に対向配置された案内板３０と背面板２３との間に形成された連通路３１に連通している。連通路３１は、メダル投入部２０の下方位置に配設されたセレクト機構５０に形成されたメダル案内通路５１の入口５１ａに連通している。このため、開口部２５に投入されたメダルは、挿入孔２６→連通路３１→メダル案内通路５１の入口５１ａを通ってセレクト機構５０内に供給される。
【００２１】
連通路３１は、上方へ進むに従って拡開するように形成されている。このため、詳細については後述するが、メダル投入部２０が所定範囲内で回動されて挿入孔２６が回動しても、挿入孔２６と連通路３１とを連通状態に維持することができ、開口部２５に投入されたメダルが挿入孔２６に詰まることはない。
【００２２】
メダル投入部２０には、操作パネル部１４に対して所望の回動角度で位置決めする位置決め機構４０が設けられている。この位置決め機構４０は、基部２１の底面２１ａに対向する操作パネル部１４の上面１４ｂに回転中心軸線Ｓから等距離を有した位置であって左右方向に所定間隔を有して配設された複数の係合突起部４１と、基部２１の底面２１ａに設けられて隣接する一対の係合突起部４１と係合してメダル投入部２０を位置決めする係止突起部４３とを有してなる。このため、メダル投入部２０を回動させると、係止突起部４３が複数の係合突起部４１のうちの隣接する一対の係合突起部４１と係合して、メダル投入部２０は一定の向きにて位置決めされる。
【００２３】
複数の係合突起部４１のうち両端部に配設された係合突起部４１は高さが他のものより高く形成されている。このため、係止突起部４３はこれら高さの高い係合突起部４１を乗り越えることができず、その結果、メダル投入部２０の回動作を規制することができる。つまり、両端部に配設された一対の係合突起部４１によってメダル投入部２０の回動範囲が定められている。
【００２４】
メダル投入部２０の下方には前述したセレクト機構５０が設けられている。セレクト機構５０は、硬質プラスチック等の合成樹脂材料で一体成形された有底容器状のケース５２と、このケース５２に対して開閉可能に取り付けられてケース５２の略上半分を覆う板金製のゲートプレート５４とを有してなる。ゲートプレート５４をケース５２内の上下方向に延びる仕切り板５６に対向配置すると、これら相互間に隙間が形成されて、セレクト機構５０の入口５１ａからゲートプレート５４の下端部に形成された転送レール部を通って右側下部に開口するメダル出口へ向かうメダル案内通路５１が形成される。このメダル案内通路５１の上流側には規定の径や厚さを超えるメダルを排除するセレクト部が設けられ、メダル案内通路５１の下流側にはメダルの通過を検出するメダル検出部が設けられる。メダル検出部はメダルの移動方向に沿って配置された２個の反射型フォトセンサから構成される。
【００２５】
このようにセレクト機構５０は、規定以外のメダルがメダル投入部２０の開口部２５に投入されると、これをセレクト部によって排除してセレクト機構５０の下方に配設されたガイド部材Ｇ２に流して図１に示す下部パネル部１５に開口した排出口１５ａから排出させて受け皿１５ｂに収容させる。また、セレクト機構５０は、正規のメダルのみをメダル案内通路５１に通してメダル検出部によって検出して、この遊技メダルをガイド部材Ｇ１に流して筐体に設けられたホッパ装置（図示せず）に戻す。
【００２６】
このように、フロントドア１０の操作パネル部１４にメダル投入部２０を上下方向に延びる回動中心軸線Ｓに対して左右方向に回動自在に設け、メダル投入部２０を、位置決め機構４０によって所望の角度に位置決め可能にすることにより、遊技者の好みに合った角度にメダル投入部２０を位置決めすることができる。このため、遊技が長時間に行われた場合には、遊技者の腕の疲労に応じてスムースなメダル投入を可能にするメダル投入部２０の向きにして、その位置でメダル投入部２０を位置決めすることで、遊技者は、長時間の遊技においてもメダル投入を常にスムースに行うことができる。また遊技者の手元から落下したメダルがスロットマシン１を設置した床に落ちることが少なくなり、遊技者はメダルを落とすたびに床からメダルを拾う煩わしさから開放される。その結果、遊技者は、腕の疲労やメダルロスによるストレスの増加が確実に抑制されて、遊技を快適に行うことができる。
【００２７】
また位置決め機構４０は、複数の係合突起部４１とこれらに係合してメダル投入部２０を位置決めする係止突起部４３とを有してなることにより、簡易な構造でメダル投入部２０の位置決めを行うことができ、構造の複雑化によるメダル投入部２０のコストの増加を抑制することができる。
【００２８】
なお、前述した実施例では、操作パネル部１４の上面１４ｂに複数の係合突起部４１を設け、メダル投入部２０の基部２１の底面２１ａにこれらに係合する係止突起部４３を設けたが、これらの位置関係を逆に配設してもよい。
【００２９】
また前述した実施の形態では、スロットマシン１を例にしたが、ゲームセンタで用いられているゲーム機を対象にしてもよい。
【図面の簡単な説明】
【００３０】
【図１】本発明の一実施の形態に係わるスロットマシンの正面図を示す。
【図２】このスロットマシンに設けられたメダル投入部の斜視図を示す。
【図３】図１のＩ−Ｉ矢視に相当する部分の断面図を示す。
【符号の説明】
【００３１】
１  スロットマシン（メダル遊技機）
１０  フロントドア
１４  操作パネル部
１４ｂ  上面
２０  メダル投入部
２１  基部
２１ａ  底面
２３  背面板
２５  開口部
２７  メダル収容部
４０  位置決め機構（位置決め手段）
４１  係合突起部
４３  係止突起部
Ｍ  遊技メダル
Ｓ  回転中心軸線
【図１】
2006263260.tif 000003
【図２】
2006263260.tif 000004
【図３】
2006263260.tif 000005